(57)【要約】【課題】焼却場、し尿処理場、下水処理場、リサイクル施設からなる廃棄物処理施設において、収集ごみを分別収集していない場合でもメタン発酵処理を可能とし、脱水分離液の効率的な処理及び乾燥汚泥の有効利用を可能とするリサイクル処理方法を提供すること。【解決手段】収集ごみを分別収集していない場合でも、前処理として破砕選別機でリサイクル施設のメタン発酵に適するごみとそれ以外のごみを選別する。それ以外のごみは焼却場で焼却する。リサイクル施設の脱水分離液は、し尿処理場にて脱窒処理し、１次処理水として下水処理場に投入する。更に、し尿脱水汚泥と、下水脱水汚泥とを乾燥し、汚泥燃料として、外部の発電用ボイラー等の燃料として有効利用する。【選択図】図１
2009045612.tif 000002
【特許請求の範囲】
【請求項１】
廃棄物のリサイクル処理方法であって、破砕選別機、焼却場、し尿処理場、下水処理場及びリサイクル施設で構成される廃棄物処理施設において、
前記破砕選別機では、収集ごみを破砕処理し、更に食品系成分を主体とした水分の多い選別ごみと選別ごみ以外の選別残さとに選別処理し、
前記焼却場では、廃プラスチック、紙くず、木くず等の水分の少ない前記選別残さ、前記し尿処理場からのし渣と前記リサイクル施設のメタン発酵槽から排出する発酵残さを脱水処理した脱水残さ及び前記リサイクル施設の乾燥機から排出する乾燥排ガスを焼却処理し、
前記し尿処理場では、し尿、浄化槽汚泥と前記発酵残さを脱水処理して分離する脱水分離液とを、し渣とし尿脱水汚泥と１次処理水となるように処理し、
前記下水処理場では、汚水と前記し尿処理場で分離された前記１次処理水とを、下水脱水汚泥と放流する処理水となるように処理し、
前記リサイクル施設では、
前記破砕選別機で選別した選別ごみは、メタン発酵に最適な水分に調整し、スラリー化処理し、
前記スラリー化処理のスラリーあるいはメタン発酵槽を加温するために必要な温水は前記焼却場のボイラー給水系統から供給を受け、該スラリーからバイオガスを発酵生成させ、該バイオガスを熱併給発電装置の燃料に利用して電力を生成し、前記電力を生成する際に必要なジャケット冷却水は前記焼却場のボイラー給水系統から供給を受け、
該熱併給発電装置でバイオガスを燃料として燃焼した高温の排気により、前記し尿処理場で生じたし尿脱水汚泥と前記下水処理場で生じた前記下水脱水汚泥を乾燥処理して、乾燥汚泥にして、及び前記乾燥排ガスは前記焼却場において焼却処理することにより、
前記廃棄物処理施設において前記収集ごみ、前記し尿、前記浄化槽汚泥と汚水等の廃棄物を処理すると同時に、
前記リサイクル施設において前記廃棄物からエネルギーを回収し、再生利用する、
ことを特徴とする廃棄物のリサイクル処理方法。
【請求項２】
前記下水処理場は、前記し尿処理場からの前記１次処理水を受け入れが不能の場合、従来の高度処理工程で処理する、請求項１に記載のリサイクル処理方法。
【請求項３】
前記下水処理場が、汚泥の消化処理工程を備え、下水処理過程で生じる汚泥を消化ガスとなるように処理し、前記消化ガスを消化処理工程の加温用燃料として、また消化ガス発電を備えたる下水処理場であれば、発電用燃料として使用し、それでもなお余剰の消化ガスがあれば前記熱併給発電装置の燃料に利用する、
ことを特徴とする請求項１に記載の廃棄物のリサイクル処理方法。
【請求項４】
前記乾燥汚泥は、汚泥燃料として外部の発電用ボイラー等の燃料として利用することを特徴とする、請求項１に記載の廃棄物のリサイクル処理方法。
【請求項５】
収集ごみを破砕処理し、更に食品系成分を主体とした水分の多い選別ごみと選別ごみ以外の選別残さとに選別処理する破砕選別機と、
廃プラスチック、紙くず、木くず等の水分の少ない前記選別残さ、し渣とリサイクル施設のメタン発酵槽から排出する発酵残さを脱水処理した脱水残さ及びリサイクル施設の乾燥機から排出する乾燥排ガスを焼却処理する焼却場と、
し尿、浄化槽汚泥と前記発酵残さを脱水処理して分離する脱水分離液とを、し渣とし尿脱水汚泥と１次処理水となるように処理するし尿処理場と、
汚水と前記し尿処理場で分離された１次処理水とを、下水脱水汚泥と放流する処理水となるように処理する下水処理場と、
前記選別ごみを貯留する中間貯層と、
スラリーからバイオガスを発酵生成させるメタン発酵槽と、
前記バイオガスを燃料に利用してガスエンジン、ガスタービンまたは燃料電池発電装置で電力を生成する熱併給発電装置と、
前記し尿処理場で生じたし尿脱水汚泥と前記下水処理場で生じた下水脱水汚泥とを、乾燥汚泥に処理する乾燥機と、
を備え、
前記破砕選別機、前記焼却場、前記し尿処理場と前記下水処理場において前記収集ごみ、前記し尿、前記浄化槽汚泥と汚水等の廃棄物を処理すると同時に、前記メタン発酵槽、前記熱併給発電装置と前記乾燥機において廃棄物からエネルギーを回収し、再生利用し得るように構成した、
ことを特徴とする廃棄物処理施設。
【請求項６】
前記乾燥汚泥を、無臭化あるいは不溶化のために加熱処理し汚泥燃料とする加熱装置を更に備えた請求項５に記載の廃棄物処理施設。
【請求項７】
廃棄物のリサイクル処理方法であって、破砕選別機、焼却場、し尿処理場、下水処理場及びリサイクル施設で構成される廃棄物処理施設において、
前記破砕選別機では、収集ごみを破砕処理し、更に食品系成分を主体とした水分の多い選別ごみと選別ごみ以外の選別残さとに選別処理し、
前記焼却場では、廃プラスチック、紙くず、木くず等の水分の少ない前記選別残さ、前記し尿処理場からのし渣と前記リサイクル施設のメタン発酵槽から排出する発酵残さを脱水処理した脱水残さ及び前記リサイクル施設の乾燥機から排出する乾燥排ガスを焼却処理し、
前記し尿処理場では、し尿、浄化槽汚泥と前記発酵残さを脱水処理して分離する脱水分離液とを、し渣とし尿脱水汚泥と１次処理水となるように処理し、
前記下水処理場では、汚水と前記し尿処理場で分離された前記１次処理水とを、下水脱水汚泥と放流する処理水となるように処理し、
前記リサイクル施設では、
前記破砕選別機で選別した選別ごみは、メタン発酵に最適な水分に調整し、スラリー化処理し、
前記スラリー化処理のスラリーあるいはメタン発酵槽を加温するために必要な温水は前記焼却場のボイラー給水系統から供給を受け、該スラリーからバイオガスを発酵生成させ、該バイオガスを熱風炉の燃料として燃焼した高温の排気により、前記し尿処理場で生じたし尿脱水汚泥と前記下水処理場で生じた前記下水脱水汚泥を乾燥処理して乾燥汚泥にして、及び前記乾燥排ガスは前記焼却場において焼却処理することにより、
前記廃棄物処理施設において前記収集ごみ、前記し尿、前記浄化槽汚泥と汚水等の廃棄物を処理すると同時に、
前記リサイクル施設において前記廃棄物からエネルギーを回収し、再生利用する、
ことを特徴とする廃棄物のリサイクル処理方法。
【請求項８】
収集ごみを破砕処理し、更に食品系成分を主体とした水分の多い選別ごみと選別ごみ以外の選別残さとに選別処理する破砕選別機と、
廃プラスチック、紙くず、木くず等の水分の少ない前記選別残さ、し渣とリサイクル施設のメタン発酵槽から排出する発酵残さを脱水処理した脱水残さ及びリサイクル施設の乾燥機から排出する乾燥排ガスを焼却処理する焼却場と、
し尿、浄化槽汚泥と前記発酵残さを脱水処理して分離する脱水分離液とを、し渣とし尿脱水汚泥と１次処理水となるように処理するし尿処理場と、
汚水と前記し尿処理場で分離された１次処理水とを、下水脱水汚泥と放流する処理水となるように処理する下水処理場と、
前記選別ごみを貯留する中間貯層と、
スラリーからバイオガスを発酵生成させるメタン発酵槽と、
前記バイオガスを燃焼させる熱風炉と、
前記熱風炉からの熱風を利用して、前記し尿処理場で生じたし尿脱水汚泥と前記下水処理場で生じた下水脱水汚泥とを、乾燥処理する乾燥機と、
を備え、
前記破砕選別機、前記焼却場、前記し尿処理場と前記下水処理場において前記収集ごみ、前記し尿、前記浄化槽汚泥と汚水等の廃棄物を処理すると同時に、前記メタン発酵槽、熱併給発電装置と前記乾燥機において廃棄物からエネルギーを回収し、再生利用し得るように構成した、
ことを特徴とする廃棄物処理施設。
【発明の詳細な説明】
【技術分野】
【０００１】
本発明は、廃棄物処理施設において収集ごみの選別処理、焼却処理、し尿処理及び汚水の下水処理をすると共に、リサイクル施設において廃棄物エネルギーを回収し、再生利用する廃棄物のリサイクル処理方法及びこのリサイクル処理施設に関するものである。
【背景技術】
【０００２】
特許文献１では、可燃ごみの焼却場、し尿処理場と汚水の下水処理場からなる廃棄物処理施設において、廃棄物を処理すると同時に、リサイクル処理機能を融合することにより、種々の廃棄物を効率よく処理し、かつリサイクル施設で廃棄物エネルギーを回収し、再生利用の促進を図ることができるリサイクル処理方法及びそのリサイクル処理施設が開示されている。
【特許文献１】特開２００４−１２２０７３号公報
【発明の開示】
【発明が解決しようとする課題】
【０００３】
しかしながら、上記特許文献１に記載の方法では、下記のような課題が存在する。
・生ごみの分別収集を前提としているため、分別収集をしない場合にはメタン発酵処理が行えない。
・リサイクル施設の脱水分離液を下水処理場へ投入することは、窒素含有規制により投入できないことがある。
・乾燥汚泥を焼却場で焼却処理するため、乾燥汚泥の有効利用ができていない。
【０００４】
したがって、本発明は、上記課題に鑑み、新たなリサイクル処理方法及びそのリサイクル処理施設を提供すること目的とする。
【課題を解決するための手段】
【０００５】
本発明では以下のような解決手段を提供する。すなわち、収集ごみを分別収集していない場合でも、破砕選別機でメタン発酵に適するごみを選別する。そして、リサイクル施設の脱水分離液は、し尿処理場にて脱窒処理し、１次処理水として下水処理場に投入する。また、し尿脱水汚泥と、下水脱水汚泥とを乾燥し汚泥燃料として、外部の発電用ボイラー等の燃料として有効利用するようなリサイクル処理方法及びそのリサイクル処理施設を提供する。具体的には以下のとおりである。
【０００６】
本発明の処理方法によれば、
廃棄物のリサイクル処理方法であって、破砕選別機、焼却場、し尿処理場、下水処理場及びリサイクル施設で構成される廃棄物処理施設において、前記破砕選別機では、収集ごみを破砕処理し、更に食品系成分を主体とした水分の多い選別ごみと選別ごみ以外の選別残さとに選別処理し、前記焼却場では、廃プラスチック、紙くず、木くず等の水分の少ない前記選別残さ、前記し尿処理場からのし渣と前記リサイクル施設のメタン発酵槽から排出する発酵残さを脱水処理した脱水残さ及び前記リサイクル施設の乾燥機から排出する乾燥排ガスを焼却処理し、前記し尿処理場では、し尿、浄化槽汚泥と前記発酵残さを脱水処理して分離する脱水分離液とを、し渣とし尿脱水汚泥と１次処理水となるように処理し、前記下水処理場では、汚水と前記し尿処理場で分離された前記１次処理水とを、下水脱水汚泥と放流する処理水となるように処理し、前記リサイクル施設では、前記破砕選別機で選別した選別ごみは、メタン発酵に最適な水分に調整し、スラリー化処理し、前記スラリー化処理のスラリーあるいはメタン発酵槽を加温するために必要な温水は前記焼却場のボイラー給水系統から供給を受け、該スラリーからバイオガスを発酵生成させ、該バイオガスを熱併給発電装置の燃料に利用して電力を生成し、前記電力を生成する際に必要なジャケット冷却水は前記焼却場のボイラー給水系統から供給を受け、該熱併給発電装置でバイオガスを燃料として燃焼した高温の排気により、前記し尿処理場で生じたし尿脱水汚泥と前記下水処理場で生じた前記下水脱水汚泥を乾燥処理して、乾燥汚泥にして、及び前記乾燥排ガスは前記焼却場において焼却処理することにより、前記廃棄物処理施設において前記収集ごみ、前記し尿、前記浄化槽汚泥と汚水等の廃棄物を処理すると同時に、前記リサイクル施設において前記廃棄物からエネルギーを回収し、再生利用する、ことを特徴とする廃棄物のリサイクル処理方法が提供される。
【０００７】
また、本処理方法において、前記下水処理場は、前記し尿処理場からの前記１次処理水を、例えば、制度的、技術的または経済的な理由等で、受け入れが不能の場合、従来の高度処理工程で処理するようにする。ここで、従来の高度処理工程とは、凝集剤等を用いて不純物を凝集沈殿させた後、オゾン反応槽、ろ過原水槽、砂ろ過塔等を通して浄水化する処理工程をいう。
【０００８】
また、本処理方法で、下水処理場が汚泥の消化処理工程を備えている場合には、前記下水処理過程で生じる汚泥を消化ガスとなるように処理し、前記消化ガスを消化処理工程の加温用燃料として、また消化ガス発電がある下水処理場であれば、発電用燃料として使用し、それでもなお余剰の消化ガスがあれば前記熱併給発電装置の燃料に利用するようにする。
【０００９】
更に、前記乾燥汚泥は、汚泥燃料として外部の発電用ボイラー等の燃料として有効利用するようにしてもよい。
【００１０】
本発明の処理施設によれば、収集ごみを破砕処理し、更に食品系成分を主体とした水分の多い選別ごみと選別ごみ以外の選別残さとに選別処理する破砕選別機と、廃プラスチック、紙くず、木くず等の水分の少ない前記選別残さ、し渣とリサイクル施設のメタン発酵槽から排出する発酵残さを脱水処理した脱水残さ及びリサイクル施設の乾燥機から排出する乾燥排ガスを焼却処理する焼却場と、し尿、浄化槽汚泥と前記発酵残さを脱水処理して分離する脱水分離液とを、し渣とし尿脱水汚泥と１次処理水となるように処理するし尿処理場と、汚水と前記し尿処理場で分離された１次処理水とを、下水脱水汚泥と放流する処理水となるように処理する下水処理場と、前記選別ごみを貯留する中間貯層と、スラリーからバイオガスを発酵生成させるメタン発酵槽と、前記バイオガスを燃料に利用してガスエンジン、ガスタービンまたは燃料電池発電装置で電力を生成する熱併給発電装置と、前記し尿処理場で生じたし尿脱水汚泥と前記下水処理場で生じた下水脱水汚泥とを、乾燥処理する乾燥機と、を備え、前記破砕選別機、前記焼却場、前記し尿処理場と前記下水処理場において前記収集ごみ、前記し尿、前記浄化槽汚泥と汚水等の廃棄物を処理すると同時に、前記メタン発酵槽、前記熱併給発電装置と前記乾燥機において廃棄物からエネルギーを回収し、再生利用し得るように構成したことを特徴とする廃棄物処理施設が提供される。
【００１１】
また、前記乾燥汚泥を、無臭化あるいは不溶化のために加熱処理して汚泥燃料とする加熱装置を、更に備えるようにしてもよい。
【００１２】
また、本発明の処理方法または処理施設においては、熱併給発電装置からの高温の排気の熱量が、し尿脱水汚泥及び下水脱水汚泥の乾燥処理及び必要に応じて実施する加熱処理あるいは炭化処理に必要な熱量に比べて少なくて不足する場合には、バイオガスの一部または全部を直接燃焼することとし、発電を行わない熱風炉等を併設するか、熱併給発電装置を熱風炉等に置き換えるようにしてもよい。
【００１３】
本発明によれば、焼却場で乾燥汚泥を処理しないことで、ごみ焼却量の増加と助燃料の使用量を低減できる。また、乾燥汚泥を燃料として外部で利用することで、化石燃料を低減でき、化石燃料由来のＣＯ２も削減できる。し尿処理場の１次処理水を下水処理場で処理するので、し尿処理の高度処理工程が不要となり、設備管理、電力及び用益を低減できる。更に、廃棄物処理及び廃棄物エネルギー回収、再生利用が安定的、効率的にできる。
【発明の効果】
【００１４】
本発明の廃棄物のリサイクル処理方法は、ごみの焼却場、し尿処理場と下水処理場からなる廃棄物処理施設において廃棄物を処理すると同時に、リサイクル処理機能を融合することにより、種々の廃棄物を効率よく処理し、かつリサイクル施設において廃棄物エネルギーを回収し、再生利用の促進を図ることができる。
【００１５】
本発明の廃棄物のリサイクル処理施設は、焼却場の処理能力が小さいときでも、水分の少ない選別残さのみを処理し、また、し尿脱水汚泥を従来焼却処理していた場合には、リサイクル施設において乾燥処理し汚泥燃料として外部で利用しているので、多量のごみを処理することができる。加えて、助燃料の使用量が減り用益代を低減することができる。
【００１６】
し尿処理場で処理していた１次処理水を、下水処理場で処理しているので、し尿処理場の高度処理工程が不要となり、設備代、電力代及び用益代を低減することができる。
【００１７】
更に、し尿脱水汚泥と下水脱水汚泥を乾燥処理し、汚泥燃料として外部の発電用ボイラー等の燃料として利用するので、該発電用ボイラー等で使用する化石燃料の量が低減し、化石燃料由来の二酸化炭素の排出量を削減できる。
【発明を実施するための最良の形態】
【００１８】
以下、本発明の実施形態について図を参照しながら説明する。
【００１９】
図１は、本発明の廃棄物のリサイクル処理方法の一つの実施形態を示すブロック図である。廃棄物処理施設１００は、破砕選別機２、リサイクル施設１０、焼却場２０、し尿処理場３０、下水処理場４０から構成される。
【００２０】
破砕選別機２では、収集ごみ１を破砕処理し、更に食品系成分を主体とした水分の多い選別ごみ３（いわゆる生ごみが主体）と、選別ごみ以外の選別残さ４（廃プラスチック、紙くず、木くず等の水分の少ない残さが主体）とに選別処理する。
【００２１】
焼却場２０では、選別残さ４と、し尿処理場３０から生成されるし渣３２と、リサイクル施設１０から生成される脱水残さ１１と、乾燥排ガス１２とを焼却処理する。焼却の結果、ごみ全体の体積の２０分の１程度の焼却灰２１が残る。
【００２２】
し尿処理場３０では、人の排泄物等の、し尿と、それを浄化した際の浄化槽に大量に発生する浄化槽汚泥（両者を合わせて、し尿・浄化槽汚泥３１と呼ぶ）と、リサイクル施設１０から発生する脱水分離液１３とを、し渣３２、し尿脱水汚泥３３、１次処理水３４になるように分離処理する。
【００２３】
下水処理場４０では、汚水４１と、し尿処理場で分離された１次処理水３４とを、下水脱水汚泥４２と河川や海に放流する放流処理水４３とに分離処理する。下水脱水汚泥４２は、リサイクル施設１０に回される。下水処理場が、汚泥の消化処理工程を備える場合は、図の点線で示すように、下水処理過程で生じる汚泥を消化ガス４４となるように処理し、消化ガス４４を消化処理工程の加温用燃料として、また消化ガス発電を備えたる下水処理場であれば、発電用燃料として使用し、それでもなお余剰の消化ガスがあれば前記熱併給発電装置の燃料に利用するようにしてもよい。
【００２４】
次に、リサイクル施設１０について図２を参照して説明する。
【００２５】
図２は、本発明の一つの実施形態におけるリサイクル処理施設を示すブロック図である。
【００２６】
リサイクル施設１０においては、し尿処理場３０で生じたし尿脱水汚泥３３と、下水処理場４０で生じた下水脱水汚泥４２を、乾燥処理して、乾燥汚泥１４にする。また乾燥汚泥１４は無臭化等、必要に応じて加熱処理してもよい。乾燥汚泥１４は、汚泥燃料として外部の発電用ボイラー等の燃料として使用される。また、破砕選別機２で選別した選別ごみ３は、メタン発酵に最適な水分調整し、スラリー化（泥水化）処理し、このスラリーからバイオガス５５を発生させる。スラリーあるいはメタン発酵槽５９を加温するために必要な温水は、加温用温水（焼却場ボイラー給水）６２から供給を受けるようにする。発生したバイオガス５５は、脱硫器５２やガスホルダー５１を介して、ガスエンジン５０等の熱併給発電装置の燃料に利用して電力５４を生成する。ここで、熱併給発電装置は、マイクロ・ガスタービンや燃料電池発電装置であってもよい。更に、ガスエンジン５０を冷却するために要するジャケット冷却水（焼却場ボイラー給水）５６を供給する。ジャケット冷却水５６は、ガスエンジン５０の熱によって温水となるので、焼却場のボイラー給水として利用できる。
【００２７】
ガスエンジン５０のような熱併給発電装置で、バイオガス５５を燃料として燃焼した高温の排気により、し尿処理場３０で生じた、し尿脱水汚泥３３と、下水処理場４０で生じた下水脱水汚泥４２とを乾燥処理して、乾燥汚泥１４を生成する。またその際、無臭化等必要に応じて加熱処理してもよい。この乾燥汚泥１４は、汚泥燃料として外部の発電用ボイラー等の燃料として利用できる。また、乾燥排ガス１２は、焼却場２０において焼却処理される。更に、メタン発酵槽５９から排出する発酵残さ６３を脱水処理した脱水残さ１１は、前述したように、焼却場２０で焼却処理される。
【００２８】
このように、本実施形態における廃棄物処理施設１００においては、収集ごみ１、し尿・浄化槽汚泥３１、汚水４１等の廃棄物を処理すると同時に、リサイクル施設１０において、このような廃棄物からエネルギーを回収し、再生利用することができる。
【００２９】
図３は、本発明の追加の実施形態におけるリサイクル処理施設を示すブロック図である。
【００３０】
図２に示したリサイクル施設１０においては、以下のような追加の方法を適用することができる。以下、図２と異なる部分のみを説明する。
【００３１】
（脱水分離液の簡易処理）
発酵残さを脱水処理して分離する脱水分離液１３が、生物化学的酸素要求量（ＢＯＤ）、化学的酸素要求量（ＣＯＤ）、窒素（Ｎ）、リン（Ｐ）等について、し尿処理場３０の処理能力を超える場合には、これらの簡易処理（図中の符号７０で示す）として、ＢＯＤ、ＣＯＤに対しては脱水処理に際して凝集剤を添加し、Ｎに対しては簡易脱窒処理を行い、また、Ｎ、Ｐに対してはＭＡＰ法（アルカリ領域でマグネシウム剤を添加し、リン酸マグネシウムアンモニウムとして回収資源化）を適用する。
【００３２】
（乾燥汚泥の加熱処理に炭化処理を追加）
し尿脱水汚泥３３及び下水脱水汚泥４２を乾燥処理した乾燥汚泥１４については、外部のボイラー等、汚泥燃料を受け入れる側のニーズにより、臭気や水溶性に対する対策が必要な場合には、更に加熱処理あるいは炭化処理を行う（図中の符号７２）。
【００３３】
（乾燥処理等の熱量不足の場合）
熱併給発電装置５０（ガスエンジン）からの高温の排気の熱量が、し尿脱水汚泥３３及び下水脱水汚泥４２の乾燥処理及び必要に応じて実施する加熱処理あるいは炭化処理に必要な熱量に比べて少なくて不足する場合には、バイオガス５５の一部または全部を直接燃焼することとし、発電を行わない熱風炉等７５を併設するか、あるいは図示するように、熱併給発電装置５０（ガスエンジン）を熱風炉等７５に置き換える。
【００３４】
以上、実施形態で説明したとおり、本発明は、廃棄物処理施設において収集ごみの選別処理、焼却処理、し尿処理及び汚水の下水処理をすると共に、リサイクル施設において廃棄物エネルギーを回収し、相互の施設で循環的に再生利用する効率的なリサイクル処理方法を提供することができる。
【００３５】
なお、本発明は上述した発明の実施の形態に限定されず、廃棄物処理施設とリサイクル処理施設とを融合させることにより、各廃棄物を効率よく処理する方法であれば、上述した処理の順番または処理装置の構成に限定されず、本発明の要旨を逸脱しない範囲で種々変更できることはいうまでもない。
【図面の簡単な説明】
【００３６】
【図１】本発明の廃棄物のリサイクル処理方法の一つの実施形態を示すブロック図である。
【図２】本発明の一つの実施形態におけるリサイクル処理施設を示すブロック図である。
【図３】本発明の追加の実施形態におけるリサイクル処理施設を示すブロック図である。
【符号の説明】
【００３７】
１  収集ごみ
２  破砕選別機
３  選別ごみ
４  選別残さ
１０  リサイクル施設
１１  脱水残さ
１２  乾燥排ガス
１３  脱水分離液
１４  乾燥汚泥
２０  焼却場
２１  焼却灰
２２  電力
３０  し尿処理場
３１  し尿・浄化槽汚泥
３２  し渣
３３  し尿脱水汚泥
３４  １次処理水
４０  下水処理場
４１  汚水
４２  下水脱水汚泥
４３  放流処理水
４４  消化ガス
５０  ガスエンジン（熱併給発電装置）
５１  ガスホルダー
５２  脱硫器
５４  電力
５５  バイオガス
５６  ジャケット冷却水（焼却場ボイラー給水）
５７  ガスエンジン排気
５８  中間貯槽
５９  メタン発酵槽
６０  乾燥機
６１  脱水機
６２  加温用温水（焼却場ボイラー給水）
６３  発酵残さ
７０  脱水分離液の簡易処理装置
７２  加熱処理装置または炭化処理装置
７５  熱風炉等
１００  廃棄物処理施設
【図１】
2009045612.tif 000003
【図２】
2009045612.tif 000004
【図３】
2009045612.tif 000005